(57)【要約】【課題】加工上の限界をなくし、大口径かつ短焦点化が可能な、即ち高ＮＡ化が可能なフレネルレンズを提供すること。またそのフレネルレンズを使用して小型・薄型であると共に広角度の光を集光できる照明装置を提供すること。【解決手段】フレネルレンズは、板状のレンズ部材の中心部を屈折型フレネルレンズ部、その外周部を反射型フレネルレンズ部としたこと。また照明装置は、そのようなフレネルレンズの少なくとも１つの中心軸の近傍に少なくとも１個のＬＥＤ素子を配置したこと。【選択図】      図１
2005049367.tif 000002
【特許請求の範囲】
【請求項１】
板状のレンズ部材の中心部に集光性の屈折型フレネルレンズ部、その外周部に集光性の反射型フレネルレンズ部を設けたことを特徴とするフレネルレンズ。
【請求項２】
前記屈折型フレネルレンズ部は前記レンズ部材の上面に、前記反射型のフレネルレンズ部は前記レンズ部材の下面の外周部に設けられたことを特徴とする請求項１のフレネルレンズ。
【請求項３】
板状のレンズ部材の上面に設けた上記屈折型フレネルレンズ部の外径は、前記レンズ部材の下面に設けた反射型のフレネルレンズ部の内径と同じかそれよりも大きいことを特徴とする請求項２のフレネルレンズ。
【請求項４】
前記屈折型フレネルレンズ部と前記反射型のフレネルレンズ部を前記板状のレンズ部材の同じ面に設けたことを特徴とする請求項１のフレネルレンズ。
【請求項５】
前記板状のレンズ部材における、前記屈折型フレネルレンズ部あるいは反射型フレネルレンズ部を設けた面が所定の曲面をなしていることを特徴とする請求項１ないし４のいずれかのフレネルレンズ。
【請求項６】
前記屈折型フレネルレンズ部の中心軸と前記反射型フレネルレンズ部の中心軸とが一致していないことを特徴とする請求項１ないし５のいずれかのフレネルレンズ。
【請求項７】
前記屈折型フレネルレンズ部と前記反射型フレネルレンズ部の少なくとも一方が楕円形をなしていることを特徴とする請求項１ないし６のいずれかのフレネルレンズ。
【請求項８】
請求項１ないし７のいずれかのフレネルレンズ部の少なくとも１つの中心軸の近傍に少なくとも１個のＬＥＤ素子を配置したことを特徴とする照明装置。
【発明の詳細な説明】
【０００１】
【発明の属する技術分野】
本発明はフレネルレンズおよびフレネルレンズとＬＥＤ素子を組み合わせた、携帯電話機あるいは家電製品等に用いる照明装置に関する。
【０００２】
【従来の技術】
従来、ＣＤやＤＶＤの読み書きあるいは携帯電話機やその他の大小様々な家電製品の光学的表示装置に用いる照明用の光源は、多くは発光体のＬＥＤ素子やランプを備えた支持体に半球状のレンズを貼り付け、あるいは支持体と一体成形し、ＬＥＤ素子の光に所定の集光特性を与えていた。またその際半球状のレンズのかわりにフレネルレンズを使用することがあった。フレネルレンズを使用すると、レンズ部の厚さを減らし光源を小型化することができる利点がある。
【０００３】
従来のフレネルレンズを用いた照明用光源の一例を図６、７に示す。図６はフレネルレンズの一例の平面図、図７はそのフレネルレンズを用いた照明装置の一例の断面図である。本従来例は屈折型フレネルレンズを用いたものである。単にフレネルレンズと呼べば通常は屈折型フレネルレンズを意味する。集光作用を目的とする普通のものは、１枚の凸レンズを中心軸（光軸）と同軸の多数の円筒面で分割してリング型の多数のプリズムとし、それら多数のプリズム頂部をほぼ同じ高さになるよう軸方向にずらして揃え、余肉を除去してレンズ作用を保ちながら全体を薄型化した構造を有する。
【０００４】
図６において１はフレネルレンズで、透明な樹脂等より成る板状のレンズ部材の上面に屈折型フレネルレンズ部２が形成されている。また図７において９はＬＥＤ素子であり、その上面が発光面である。８は筐体で、フレネルレンズ１およびＬＥＤ素子９を所定の位置関係を与えて保持すると共に、これら組み合わされた全体が、光学機器への組み込まれる照明装置となる。
【０００５】
フレネルレンズを十分に薄型にするには多数のプリズム部の軸方向の高さを揃える必要がある。凸レンズ面の傾斜は外周部ほど急であるから、分割すべき円筒面の間隔は図６の平面図、図７の断面図（ａ）およびその部分拡大図（ｂ）、（ｃ）に示すように外周ほど密になる。ＬＥＤ素子９の上面の発光面（の中心部）を光源としてそこから出た光線５はフレネルレンズ１の平坦な下面からやや屈折してその内部に入り、屈折型フレネルレンズ部２を形成するプリズム群により大きく屈折され、所定の方向、例えば中心軸（図示せず）にほぼ平行な方向に射出される。
【０００６】
他の従来例のフレネルレンズを図８（下面図）に、その断面図、部分拡大図と共にそれを使用した照明装置を図９の各図に示す。本従来例では、以下反射型フレネルレンズと称することとしたフレネルレンズを用いている。反射型フレネルレンズの実例は例えば特開２００１−３３７２０６号公報に開示されている。反射型フレネルレンズの個々のリング状のレンズは光の入射面（屈折面）と反射面（又は全反射面）を備えていて、光源からの光は入射面からプリズム内に屈折して入射し、全反射面で反射され、所定の方向、例えばフレネルレンズ１のほぼ軸方向に射出される。
【０００７】
図９において、反射型フレネルレンズ部３はフレネルレンズ１の下面側に設けられ、光線５はプリズム形状の垂直に近い傾斜の入射面３ａからフレネルレンズ１内に入射し、入射部に近接した反射面（または全反射面）３ｂでほぼ軸方向に方向を変換される。反射型フレネルレンズにおいては入射する光線５とフレネルレンズ１の軸とのなす角度が大きいほどプリズムが寝ると共にその頂角が大きいので、個々のプリズムの間隔は屈折型フレネルレンズとは逆に、中心部が狭く密で、外周に行くほど広く粗となる特徴がある。
【０００８】
【発明が解決しようとする課題】
フレネルレンズは記述のように照明装置の小型化に有利であるのみならず理論的には単レンズよりもむしろ大口径化あるいは短焦点距離化が可能とされているが、実際には光学上の制限（入射角度による）や、加工上の制限がある。加工上の制限とは、屈折型フレネルレンズでは図７（ｃ）に示すように外周部で、反射型フレネルレンズでは図９（ｂ）に示すように中心部で、プリズム面の傾斜が急になりプリズムの（半径方向の）密度が高い部分では、金型を加工するバイトが鋭角になり幅が狭くなるために破損し易く加工が困難になることである。
【０００９】
本発明の目的は、加工上の限界をなくし、大口径かつ短焦点化が可能な、即ち高ＮＡ化が可能なフレネルレンズを提供することである。本発明の更に他の目的は、そのフレネルレンズを使用して小型・薄型であると共に広角度の光を集光できる照明装置を提供することである。
【００１０】
上記目的を達成するため、本発明のフレネルレンズは次の特徴のうちの少なくとも１つを備える。
（１）板状のレンズ部材の中心部を集光性のある屈折型フレネルレンズ部、その外周部を集光性のある反射型フレネルレンズ部としたこと。
【００１１】
（２）上記（１）において、前記屈折型フレネルレンズ部は前記レンズ部材の上面に、前記反射型のフレネルレンズ部は前記レンズ部材の下面の外周部に設けられたこと。
【００１２】
（３）上記（２）に加え、板状のレンズ部材の上面に設けた上記屈折型フレネルレンズ部の外径は、前記レンズ部材の下面に設けた反射型のフレネルレンズ部の内径と同じかそれよりも大きいこと。
【００１３】
（４）上記（１）に加え、前記屈折型フレネルレンズ部と前記反射型のフレネルレンズ部を前記板状のレンズ部材の同じ面に設けたこと。
【００１４】
（５）上記（１）ないし（４）の特徴に加え、前記板状のレンズ部材における、前記屈折型フレネルレンズ部あるいは反射型フレネルレンズ部を設けた面が所定の曲面をなしていること。
【００１５】
（６）上記（１）ないし（５）の特徴に加え、前記屈折型フレネルレンズ部の中心軸と前記反射型フレネルレンズ部の中心軸とが一致していないこと
【００１６】
（７）上記（１）ないし（６）の特徴に加え、前記屈折型フレネルレンズ部と前記反射型フレネルレンズ部の少なくとも一方が楕円形をなしていること。
【００１７】
上記目的を達成するため、本発明の照明装置は次の特徴の少なくとも１つを備える。
（８）上記（１）ないし（７）のいずれかのフレネルレンズ部の少なくとも１つの中心軸の近傍に少なくとも１個のＬＥＤ素子を配置したこと。
【００１８】
【発明の実施の形態】
図１は本発明の第１の実施の形態のフレネルレンズの断面図、図２はこの実施の形態のフレネルレンズの平面図である。この実施の形態においては、フレネルレンズ１の上面の中心部には屈折型フレネルレンズ部２を形成し、下面の外周部に反射型フレネルレンズ部３を同軸に形成してある。この構成により、軸上の光源４から発する光線５は、いずれの方向に出たものも屈折型フレネルレンズ部２か反射型フレネルレンズ部３かのどちらかに入射し、いずれのフレネルレンズ部によっても集光作用を受ける。またフレネルレンズ１の材質としてはアクリルやポリカーボネートなど透明性が高く精密な成形が容易な樹脂材料を用いる。
【００１９】
また「発明が解決しようとする課題」の項で述べたことから明らかなように、屈折型フレネルレンズ部２、反射型フレネルレンズ部３は、共に加工限界の生じる部分（前者は外周部、後者は中心部）を除去した形で形成されているため、加工用バイトの先端部はすべての半径位置において比較的鈍角の形状を保つことができ、全面に渡って加工限界は生じない。また短焦点でかつ十分に大口径のフレネルレンズを実現できる。
【００２０】
この実施の形態のフレネルレンズを用いて、図示は省略するが、例えば図７あるいは図９のように照明装置を構成することにより、簡素な構成を維持しつつ、薄型かつ大口径であると共にＬＥＤ素子（図示しないがその発光面の中心位置を光源４の位置とする）の発光量のより多くの部分を捕らえて集光することができる、光束の利用効率のよい照明装置を実現することができる。この長所は本発明の他の実施の形態についても同様に備わるものである。
【００２１】
また本実施の形態においては、上面に設けた屈折型フレネルレンズ部２の外径を、下面に設けた反射型フレネルレンズ部３の内径よりも大きくし、図２の平面図に示すように両者に一部重なりを設けてある。これは光源４から発する光線５で反射型フレネルレンズ部３で捕らえなかったもののうち外周にあるものが、フレネルレンズ１の厚みの中で広がるが、その広がった光も逃がさず屈折型フレネルレンズ部２の外周部（両フレネルレンズの重なり部分）で捕らえて集光することによって、光の利用効率を最大限にしようとする構成である。
【００２２】
図３は本発明の第２の実施の形態のフレネルレンズの断面図である。平面図は以下省略する。本実施の形態においては、屈折型フレネルレンズ部２を内周に、反射型フレネルレンズ部３を外周に配したことは第１の実施の形態と同様であるが、両フレネルレンズ部を同一面（図示例ではフレネルレンズ１の下面側）に設けた点が異なる。本例ではフレネルレンズ部を設けない側の面は単なる平面としてあるが、この面を利用して他の光学素子、例えば収差等の補正レンズなどを設けることができる。
【００２３】
図４は本発明の第３の実施の形態のフレネルレンズの断面図である。フレネルレンズ部を設けた面（図示例では屈折型フレネルレンズ部２を設けた上面側の、プリズムの頂部あるいは底部を包絡する面）を平面ではなく任意の曲面６（例えば球面）とした。本例においては所定の曲面６を付加することによって、例えばレンズ周辺部における光線５の入射状況を改善するなどの効果が期待できる。なお曲面６は反射型フレネルレンズ部３に設けてもよいし、両方に設けても、また全面でなく部分的に設けてもよいであろう。
【００２４】
図５は本発明の第４の実施の形態のフレネルレンズの断面図である。本例においては、上面に設けた屈折型フレネルレンズ部の中心軸７ａ（光軸）と、下面に設けた反射型フレネルレンズ部の中心軸７ｂ（光軸）とを偏心させて平行にずらしてある。従ってそれぞれのフレネルレンズ部が良く機能する光源の位置が、４ａ、４ｂの２か所できる。光源４ａおよび４ｂに異なるＬＥＤ素子（単に同特性で別個のＬＥＤ素子でもよいし、例えば発光色が異なるものでもよい）を配置すれば、それぞれが別位置に焦点を結ぶので、特異な性質が付与された照明装置を得ることができる。また光源のＬＥＤ素子を１個だけとしても２重焦点の光源が得られる。また、偏心した屈折型と反射型のフレネルレンズ部を同一面側に設ける事も可能である。
【００２５】
本発明の実施の形態は、既述の上記の数例のみに限定されるものではない。例えば各実施の形態の部分的特徴を組み合わせたり、他の光学的要素や技術を導入したりして更に多様な実施の形態を得ることができるのはもちろんである。照明装置の構造にしても同様に、図示の構造だけに限定されるものではない。
【００２６】
例えば、図示しないが他の実施の形態として、楕円型フレネルレンズについて述べる。これは球面ではなく楕円面を有するレンズ（すなわちレンズの光軸と直交する長軸と短軸を有し、長軸を含む断面における焦点距離と短軸を含む断面における焦点距離とが異なるレンズである）を、光軸に平行な筒軸を持つ多数の楕円筒面で分割して多数の楕円形のプリズムとし、これらのプリズムを既述のフレネルレンズと同様に軸方向にずらして薄型化したものである。
【００２７】
楕円型フレネルレンズは複数の焦点を持つので、特異なレンズ効果を発揮する。例えば集光に用いれば輝点でなく輝線が得られるし、ＣＣＤ、ＣＭＯＳカメラ等に応用していびつな画像の読み取りを行わせることができる。楕円型フレネルレンズにおいても屈折型、反射型のものが形成でき、本発明の図示した他の実施の形態と同様に様々の変形を与えて使用することができる。
【００２８】
【発明の効果】
本発明のフレネルレンズにおいては、屈折型フレネルレンズ部と反射型フレネルレンズ部とを適切に組み合わせたので、加工限界をなくすことができ、比較的大口径かつ短焦点の、高ＮＡレンズが実現できた。もとより本発明のフレネルレンズは、照明用の集光以外の目的（例えば結像用や画像読み取り用）にも用いることができる。
【００２９】
また本発明のフレネルレンズを用いた照明装置は、薄型化・小型化と共に高い光の利用率を備え、明るさを改善することができた。また複数種類のフレネルレンズ部の組み合わせと光源となるＬＥＤ素子の様々な位置関係によって、照明装置の照明効果（光束の分布、焦点の位置や数等）に更に新規かつ自由度の高い特性を与えることもできる効果がある。
【図面の簡単な説明】
【図１】本発明の第１の実施の形態のフレネルレンズの断面図である。
【図２】本発明の第１の実施の形態のフレネルレンズの平面図である。
【図３】本発明の第２の実施の形態のフレネルレンズの断面図である。
【図４】本発明の第３の実施の形態のフレネルレンズの断面図である。
【図５】本発明の第４の実施の形態のフレネルレンズの断面図である。
【図６】従来例の屈折型フレネルレンズの平面図である。
【図７】従来例の屈折型フレネルレンズを用いた照明装置を示し、（ａ）はその断面図、（ｂ）および（ｃ）はその部分拡大図である。
【図８】従来例の反射型フレネルレンズの下面図である。
【図９】従来例の反射型フレネルレンズを用いた照明装置を示し、（ａ）はその断面図、（ｂ）および（ｃ）はその部分拡大図である。
【符号の説明】
１  フレネルレンズ
２  屈折型フレネルレンズ部
３  反射型フレネルレンズ部
３ａ  入射面
３ｂ  反射面
４、４ａ、４ｂ  光源
５  光線
６  曲面
７ａ、７ｂ  中心軸
８  筐体
９  ＬＥＤ素子
【図１】
2005049367.tif 000003
【図２】
2005049367.tif 000004
【図３】
2005049367.tif 000005
【図４】
2005049367.tif 000006
【図５】
2005049367.tif 000007
【図６】
2005049367.tif 000008
【図７】
2005049367.tif 000009
【図８】
2005049367.tif 000010
【図９】
2005049367.tif 000011